(57)【要約】【課題】指定の有料ゴミ袋以外のゴミ袋の使用を防止し、分別を間違えてゴミ袋を排出することを防止するゴミ収集システムの提供。【解決手段】ゴミ袋１２０それぞれにＩＣタグ７０を付し、ゴミ集積ボックス４０に設けたＩＣタグリーダ６０が読み取ったゴミ袋１２０のＩＣタグ７０が正しいものを示していれば、ごみ集積ボックス４０の通常は閉じているゴミ投入口８３を開けて、ゴミ袋１２０をゴミ受け部８１に投入させる。ゴミ袋１２０のＩＣタグ７０から判断されるゴミ袋１２０の数と赤外線センサー９０が検出したゴミ袋の数とが同じであればゴミ投入口８３を閉じてからゴミ受け部８１からゴミ袋をゴミ集積ボックス４０内に排出させる。ＩＣタグリーダ６０がＩＣタグ７０から読み取ったゴミ袋１２０のＩＤおよびゴミ袋１２０を排出したユーザのＩＤは、データベースサーバに送信されて登録される。【選択図】図４
2006056704.tif 000002
【特許請求の範囲】
【請求項１】
各家庭に配布されるゴミ袋それぞれに付されゴミ袋に固有のゴミ袋ＩＤ（識別情報）およびゴミ袋が配布される家庭に固有のユーザＩＤが記録されたＩＣ（集積回路）タグと、
ゴミを入れたゴミ袋が投入されるゴミ集積ボックスと、
前記ゴミ集積ボックスに投入されるゴミ袋の前記ＩＣタグから前記ゴミ袋ＩＤおよび前記ユーザＩＤを読み取るＩＣタグリーダと、
ゴミ袋の配布業者が家庭に配布したゴミ袋の数である配布数を入力するゴミ袋配布業者端末と、
家庭それぞれについて保有するゴミ袋の数である家庭保有数を記憶部に格納し、前記ゴミ袋配布業者端末から入力される前記配布数で配布先の家庭の前記家庭保有数を加算し、前記ＩＣタグリーダが読み取った前記ユーザＩＤの示す家庭の前記家庭保有数を前記ゴミ集積ボックスに投入されたゴミ袋の数で減算し、前記家庭保有数が通知枚数になった家庭に未使用のゴミ袋を配布するように前記配布業者に指示する管理装置とを含むことを特徴とするゴミ収集システム。
【請求項２】
各家庭に配布されるゴミ袋それぞれに付されＩＤが記録されたＩＣタグと、ゴミを入れたゴミ袋が投入口から投入されるゴミ集積ボックスと、前記ゴミ集積ボックスに投入するために前記投入口に近接する位置に差し出されたゴミ袋の前記ＩＣタグから前記ＩＤを読み取るＩＣタグリーダとを含み、前記ＩＣタグリーダに読み取られた前記ＩＣタグのＩＤが前記投入口の前に差し出されたゴミ袋が投入してもよい正しいものであることを示している場合に限り前記投入口を開けてゴミ袋を前記ゴミ集積ボックスに投入可能とすることを特徴とするゴミ収集システム。
【請求項３】
各家庭に配布されるゴミ袋それぞれに付されＩＤが記録されたＩＣタグと、ゴミを入れたゴミ袋を集積するためのゴミ集積ボックスと、前記ゴミ集積ボックスに設けられ通常は閉じているゴミ投入口と、前記ゴミ投入口に投入されたゴミ袋を受け入れた後に前記ゴミ集積ボックス内に排出するゴミ受け部と、前記投入口に近接する位置に差し出されたゴミ袋の前記ＩＣタグから前記ＩＤを読み取りゴミ袋が投入してもよい正しいものであれば前記ゴミ投入口を開けさせるＩＣタグリーダと、前記ゴミ投入口から前記ゴミ受け部に投入されたゴミ袋を数える計数手段と、前記ＩＣタグリーダが読み込んだ前記ＩＤから判断されるゴミ袋の数と前記計数手段が検出した数とが同じであれば前記ゴミ投入口を閉じるとともに前記ゴミ受け部からゴミ袋を前記ゴミ集積ボックス内に排出させ同じでなければ前記ゴミ投入口を開けたまま前記ゴミ受け部からゴミ袋を外へ取り出すことを促す表示を表示部に行わせる制御部とを含むことを特徴とするゴミ収集システム。
【請求項４】
各家庭に配布されるゴミ袋それぞれに付されＩＤが記録されたＩＣタグと、ゴミを入れたゴミ袋を集積するためのゴミ集積ボックスと、前記ゴミ集積ボックスに設けられ通常は閉じているゴミ投入口と、前記ゴミ袋の１つのみを収納可能で前記ゴミ投入口に投入されたゴミ袋を受け入れた後に前記ゴミ集積ボックス内に排出するゴミ受け部と、前記投入口に近接する位置に差し出されたゴミ袋の前記ＩＣタグから前記ＩＤを読み取りゴミ袋が投入してもよい正しいものであれば前記ゴミ投入口を開けさせるＩＣタグリーダと、ゴミ袋が前記ゴミ受け部に投入されてから前記投入口を閉じるとともにゴミ袋を前記ゴミ受け部から前記ゴミ集積ボックス内に排出させる制御部とを含むことを特徴とするゴミ収集システム。
【請求項５】
ゴミ袋は大きさの異なる複数種類のものからなり、前記ゴミ受け部は前記ゴミ袋に対応して大きさの異なる複数種類のものからなることを特徴とする請求項３または４のいずれかに記載のゴミ収集システム。
【請求項６】
前記ＩＤはゴミ袋に固有のゴミ袋ＩＤおよびゴミ袋が配布される家庭に固有のユーザＩＤを有し、
ゴミ袋の配布業者が家庭に配布したゴミ袋の数である配布数を入力するゴミ袋配布業者端末と、
家庭それぞれについて保有するゴミ袋の数である家庭保有数を記憶部に格納し、前記ゴミ袋配布業者端末から入力される前記配布数で配布先の家庭の前記家庭保有数を加算し、前記ＩＣタグリーダが読み取った前記ユーザＩＤの示す家庭の前記家庭保有数を前記ゴミ集積ボックス内に排出されたゴミ袋の数で減算し、前記家庭保有数が通知枚数になった家庭に未使用のゴミ袋を配布するように前記配布業者に指示する管理装置とを含むことを特徴とする請求項２〜５のいずれかに記載のゴミ収集システム。
【請求項７】
前記ゴミ受け部が受け入れた前記ゴミ袋の重さを量る秤を含み、
前記管理装置は、前記秤が量った重さを受けて家庭それぞれについて、所定の期間における前記ゴミ受け部に投入されてから前記ゴミ集積ボックス内に排出されたゴミ袋の重さを集計し、集計したゴミ袋の重さが目標値より少ない家庭を特定することを特徴とする請求項６に記載のゴミ収集システム。
【請求項８】
前記ゴミ受け部が受け入れた前記ゴミ袋の重さを量る秤を含み、
前記管理装置は、各家庭の構成人数を記憶部に格納し、前記秤が量った重さを受けて家庭それぞれについて、所定の期間における前記ゴミ受け部に投入されてから前記込み集積ボックス内に排出されたゴミ袋の重さを集計し、集計したゴミ袋の重さを前記構成人数で割った値が目標値より少ない家庭を特定することを特徴とする請求項６に記載のゴミ収集システム。
【請求項９】
前記管理装置は、ゴミ袋の種類ごとに前記家庭保有数を記憶部に格納することを特徴とする請求項１、６〜８のいずれかに記載のゴミ収集システム。
【請求項１０】
前記管理装置は、各家庭について前記ゴミ集積ボックスに投入されたゴミ袋の前記ゴミ袋ＩＤおよび日付を記録し、
少なくとも一部の家庭それぞれに対応して設けられ、前記管理装置から情報を受け、対応する家庭が前記ゴミ集積ボックスに投入したゴミ袋の種類および日付ならびに前記家庭保有数を閲覧可能なユーザ端末を含むことを特徴とする請求項１、６〜９のいずれかに記載のゴミ収集システム。
【請求項１１】
前記管理装置は、各家庭について当月の当日までのゴミの排出量の集計の予め定めた目標値に対する割合から翌月に提供する無料の未使用の前記ゴミ袋の枚数である来月獲得枚数の予測値を算出し、
少なくとも一部の家庭それぞれに対応して設けられ、前記管理装置から情報を受け、対応する家庭についての前記予測値を閲覧可能なユーザ端末を含むことを特徴とする請求項７〜１０のいずれかに記載のゴミ収集システム。
【請求項１２】
前記管理装置は、前記ゴミ集積ボックスそれぞれについて、ゴミの回収時に前回のゴミ回収時から排出されたゴミ袋の個数の累計である総個数およびゴミ排出量の累計であるゴミ総排出量ならびに回収所用時間を求め、
前記管理装置から情報を受け、前記ゴミ集積ボックスからゴミを回収する業者が前記ゴミ集積ボックスそれぞれおよびゴミの回収作業それぞれについて前記ゴミ袋の総個数、ゴミ総排出量および回収所用時間を閲覧可能な回収業者端末を含むことを特徴とする請求項１、６〜１１のいずれかに記載のゴミ収集システム。
【請求項１３】
ゴミ袋に固有のゴミ袋ＩＤおよびゴミ袋が配布される家庭に固有のユーザＩＤが記録されたＩＣタグが付されたゴミ袋を各家庭に配布し、ゴミ集積ボックスに投入されるゴミを入れたゴミ袋の前記ＩＣタグから前記ゴミ袋ＩＤおよび前記ユーザＩＤをＩＣタグリーダで読み取り、ゴミ袋の配布業者が家庭に配布した前記ゴミ袋の数である配布数をゴミ袋配布業者端末から入力し、
管理装置は、家庭それぞれについて保有する前記ゴミ袋の数である家庭保有数を記憶部に格納し、前記ゴミ袋配布業者端末から入力される前記配布数で配布先の家庭の前記家庭保有数を加算し、前記ＩＣタグリーダが読み取った前記ユーザＩＤの示す家庭の前記家庭保有数を前記ゴミ集積ボックスに投入された前記ゴミ袋の数で減算し、前記家庭保有数が通知枚数になった家庭に未使用の前記ゴミ袋を配布するように前記配布業者に指示することを特徴とするゴミ収集方法。
【請求項１４】
ＩＤが記録されたＩＣタグが付されたゴミ袋を各家庭に配布し、ゴミ集積ボックスに投入するために前記ゴミ集積ボックスの投入口に近接する位置に差し出されたゴミ袋の前記ＩＣタグから前記ＩＤをＩＣタグリーダで読み取り、前記ＩＣタグリーダに読み取られた前記ＩＣタグの前記ＩＤが前記投入口の前に差し出されたゴミ袋が投入してもよい正しいものであることを示している場合に限り前記投入口を開けてゴミ袋を前記ゴミ集積ボックスに投入可能とすることを特徴とするゴミ収集方法。
【請求項１５】
ＩＤが記録されたＩＣタグが付されたゴミ袋を各家庭に配布し、ゴミ集積ボックスにゴミを入れたゴミ袋を投入するためのゴミ投入口を通常は閉じておき、ＩＣタグリーダが前記ゴミ投入口に近接する位置に差し出されたゴミ袋の前記ＩＣタグの前記ＩＤを読み取りゴミ袋が投入してもよい正しいものであれば前記ゴミ投入口を開けてゴミ袋を前記ゴミ投入口から前記ゴミ集積ボックスに設けたゴミ受け部に投入させ、計数手段により数えた前記ゴミ受け部に投入されたゴミ袋の数と前記ＩＣタグリーダが読み込んだ前記ＩＤから判断されるゴミ袋の数とが同じであれば前記ゴミ投入口を閉じるとともに前記ゴミ受け部からゴミ袋を前記ゴミ集積ボックス内に排出させ同じでなければ前記ゴミ投入口を開けたまま前記ゴミ受け部からゴミ袋を外へ取り出すことを促す表示を表示部に行わせることを特徴とするゴミ収集方法。
【請求項１６】
ＩＤが記録されたＩＣタグが付されたゴミ袋を各家庭に配布し、ゴミ集積ボックスにゴミを入れたゴミ袋を投入するためのゴミ投入口を通常は閉じておき、ＩＣタグリーダが前記ゴミ投入口に近接する位置に差し出されたゴミ袋の前記ＩＣタグの前記ＩＤを読み取りゴミ袋が投入してもよい正しいものであれば前記ゴミ投入口を開けてゴミ袋を前記ゴミ投入口から前記ゴミ集積ボックスに設けたゴミを入れた１つのゴミ袋のみを入れることが可能なゴミ受け部に投入させ、ゴミ袋が前記ゴミ受け部に投入されてから前記投入口を閉じるとともにゴミ袋を前記ゴミ受け部から前記ゴミ集積ボックス内に排出させることを特徴とするゴミ収集方法。
【請求項１７】
前記ＩＤはゴミ袋に固有のゴミ袋ＩＤおよびゴミ袋が配布される家庭に固有のユーザＩＤを有し、
ゴミ袋の配布業者が家庭に配布したゴミ袋の数である配布数をゴミ袋配布業者端末から入力し、
管理装置は、家庭それぞれについて保有するゴミ袋の数である家庭保有数を記憶部に格納し、前記ゴミ袋配布業者端末から入力される前記配布数で配布先の家庭の前記家庭保有数を加算し、前記ＩＣタグリーダが読み取った前記ユーザＩＤの示す家庭の前記家庭保有数を前記ゴミ集積ボックスに排出されたゴミ袋の数で減算し、前記家庭保有数が通知枚数になった家庭に未使用のゴミ袋を配布するように前記配布業者に指示することを特徴とする請求項１４、１５または１６のいずれかに記載のゴミ収集方法。
【請求項１８】
前記ゴミ受け部が受け入れた前記ゴミ袋の重さを秤で量り、前記管理装置は、前記秤が量った重さを受けて家庭それぞれについて、所定の期間における前記ゴミ受け部に投入されてから前記ゴミ集積ボックス内に排出されたゴミ袋の重さを集計し、集計したゴミ袋の重さが目標値より少ない家庭を特定し、前記管理装置が特定した家庭には特典を付与することを特徴とする請求項１７に記載のゴミ収集方法。
【請求項１９】
前記ゴミ受け部が受け入れた前記ゴミ袋の重さを秤で量り、前記管理装置は、各家庭の構成人数を記憶部に記憶し、前記秤が量った重さを受けて家庭それぞれについて、所定の期間における前記ゴミ受け部に投入されてから前記ゴミ集積ボックス内に排出されたゴミ袋の重さを集計し、集計したゴミ袋の重さを前記構成人数で割った値が目標値より少ない家庭を特定し、前記管理装置が特定した家庭には特典を付与することを特徴とする請求項１７に記載のゴミ収集方法。
【請求項２０】
前記管理装置は、ゴミ袋の種類ごとに前記家庭保有数を記憶部に格納することを特徴とする請求項１３、１７〜１９のいずれかに記載のゴミ収集方法。
【請求項２１】
前記管理装置は、ゴミ袋の種類ごとに所定の期間における前記ゴミ受け部に投入されてから前記ゴミ集積ボックス内に排出されたゴミ袋の数を集計し、これら集計した数を所定の種類のゴミ袋の数に換算した換算集計数を求め、全ての種類についての前記換算集計数の合計が目標値より少ない家庭を特定し、前記管理装置が特定した家庭には特典を付与することを特徴とする請求項１３、１７〜２０のいずれかに記載のゴミ収集方法。
【請求項２２】
ＩＣタグが付されたゴミ袋であって、前記ＩＣタグにゴミ袋に固有のゴミ袋ＩＤおよびゴミ袋が配布される家庭に固有のユーザＩＤが記録されていることを特徴とするゴミ袋。
【請求項２３】
ゴミを入れたゴミ袋を集積するためのゴミ集積ボックスであって、
通常は閉じているゴミ投入口と、前記ゴミ投入口に投入されたゴミ袋を受け入れた後に前記ゴミ集積ボックス内に排出するゴミ受け部と、前記投入口に近接する位置に差し出されたゴミに付されたＩＣタグに記録されたＩＤを読み取りゴミ袋が投入してもよい正しいものであれば前記ゴミ投入口を開けさせるＩＣタグリーダと、前記ゴミ投入口から前記ゴミ受け部に投入されたゴミ袋を数える計数手段と、前記ＩＣタグリーダが読み込んだ前記ＩＤから判断されるゴミ袋の数と前記計数手段が検出した数とが同じでなければ前記ゴミ投入口を開けたまま前記ゴミ受け部からゴミ袋を外へ取り出すことを促す表示を行う表示部とを含み、
前記ＩＣタグリーダが読み込んだ前記ＩＤから判断されるゴミ袋の数と前記計数手段が検出した数とが同じであれば前記ゴミ投入口を閉じるとともに前記ゴミ受け部からゴミ袋を前記ゴミ集積ボックス内に排出させることを特徴とするゴミ集積ボックス。
【請求項２４】
ゴミを入れたゴミ袋を集積するためのゴミ集積ボックスであって、
通常は閉じているゴミ投入口と、１つのゴミ袋のみを収納可能で前記ゴミ投入口に投入されたゴミ袋を受け入れた後に前記ゴミ集積ボックス内に排出するゴミ受け部と、前記投入口に近接する位置に差し出されたゴミに付されたＩＣタグに記録されたＩＤを読み取りゴミ袋が投入してもよい正しいものであれば前記ゴミ投入口を開けさせるＩＣタグリーダとを含み、
ゴミ袋が前記ゴミ受け部に投入されてから前記投入口を閉じるとともにゴミ袋を前記ゴミ受け部から前記ゴミ集積ボックス内に排出させることを特徴とするゴミ集積ボックス。
【請求項２５】
ゴミ袋は大きさの異なる複数種類のものからなり、前記ゴミ受け部は前記ゴミ袋に対応して大きさの異なる複数種類のものからなることを特徴とする請求項２４または２５のいずれかに記載のゴミ集積ボックス。
【請求項２６】
ゴミ袋が配布される家庭それぞれについて保有するゴミ袋の数である家庭保有数を記憶部に格納し、ゴミ袋配布業者端末から入力されるゴミ袋配布業者が家庭に配布したゴミ袋の数である配布数で配布先の家庭の前記家庭保有数を加算し、ゴミ集積ボックスに投入されるゴミ袋に付されたＩＣタグに記録されたユーザＩＤの示す家庭の前記家庭保有数を前記ゴミ集積ボックスに投入されたゴミ袋の数で減算し、前記家庭保有数が通知枚数になった家庭にゴミ袋を配布するように前記配布業者に指示することを特徴とするゴミ収集用の管理装置。
【発明の詳細な説明】
【技術分野】
【０００１】
本発明は、ゴミ収集システムおよび方法、ゴミ袋、ゴミ集積ボックスならびにゴミ収集用の管理装置に関する。本発明は、特に、ゴミ袋を有料で各家庭に配布し、各家庭がゴミを入れたゴミ袋を所定のゴミ集積所に設けられたゴミ集積ボックスに投入するゴミ収集システムおよび方法に関する。
【背景技術】
【０００２】
一般に、家庭で生じるゴミは、ゴミ袋に入れて所定の集積所に出し、回収業者が集積所からゴミの入ったゴミ袋を回収して焼却処分等をしている。最近は、家庭から排出されるゴミの量を抑制するために、ゴミ袋を有料とする有料指定ゴミ袋制の地域が増加してきている。しかし、ゴミ袋一枚当たり１５円から５０円の価格がネックとなっている。そのため指定の有料ゴミ袋を使用しないでゴミを排出する人が後を絶たず、結局そのゴミも業者が回収しているのが現状である。また、可燃のゴミと不燃のゴミというように分別し、日にちによって排出すべきゴミの種類を異ならせていることが多いが、これを間違える人も少なくない。
【０００３】
特許文献１および２には、ゴミ袋の表面に使用枚数を表す番号等を表示してゴミ袋の使用状況が直ちに分かるようにすることが示されている。また、ゴミ袋の表面にゴミの種類や袋の大小を分別する文字、記号等を表示してゴミ袋の使用の間違いを少なくすることも示されている。
【０００４】
特許文献３のゴミ収集システムは、ゴミ袋にゴミ廃棄者を特定するＱＲコード（光学的に読み取り可能な識別コード）が記録された回収シールを貼り付けている。そして、ゴミ収集業者がゴミ袋を回収する際に操作端末によりＱＲコードを読み取ると共に、重量測定装置により測定した廃棄ゴミ重量をＱＲコード中のユーザ情報と対応して蓄積記憶している。
【０００５】
【特許文献１】特開２００２−０２９６０１号公報
【特許文献２】実用新案登録第３０７５５１６号
【特許文献３】特開２００２−１０４６０７号公報
【発明の開示】
【発明が解決しようとする課題】
【０００６】
本発明は、指定の有料ゴミ袋以外のゴミ袋の使用を防止し、分別を間違えてゴミ袋を排出することを防止することを目的とする。また、各家庭でのゴミ袋の使用状況を明確にして、ゴミの排出量の抑制に役立てることを目的とする。
【０００７】
特許文献１または２に記載された発明では、ゴミ袋を表面に表示された番号等の順番通りに使用していかなければ、ゴミ袋の使用枚数は分からないという問題点がある。また、人がゴミ袋の表面に表示された文字、記号等を注意しなければ、ゴミ袋の使用の間違いを防ぐことができないという問題点もある。
【０００８】
特許文献２に記載された発明では、ゴミ収集業者が操作端末を用いてゴミ袋に貼り付けられた回収シールのＱＲコードを読み取る必要がある。また、ＱＲコードからゴミの種類が読み取り可能であるが、ゴミ収集車自体はゴミの種類を判別し、ゴミ袋をゴミの種類によって選択することはできない。したがって、ゴミ収集車に投入すべきゴミ袋の選択は、ゴミ収集業者がしなければならないという問題点がある。例えば、可燃ゴミの回収日に集積場所に出された不燃ゴミは、回収業者が注意してゴミ収集車に投入しないようにしなければならない。
【課題を解決するための手段】
【０００９】
請求項１に係る発明のゴミ収集システムは、各家庭に配布されるゴミ袋それぞれに付されゴミ袋に固有のゴミ袋ＩＤ（識別情報）およびゴミ袋が配布される家庭に固有のユーザＩＤが記録されたＩＣ（集積回路）タグと、
ゴミを入れたゴミ袋が投入されるゴミ集積ボックスと、
前記ゴミ集積ボックスに投入されるゴミ袋の前記ＩＣタグから前記ゴミ袋ＩＤおよび前記ユーザＩＤを読み取るＩＣタグリーダと、
ゴミ袋の配布業者が家庭に配布したゴミ袋の数である配布数を入力するゴミ袋配布業者端末と、
家庭それぞれについて保有するゴミ袋の数である家庭保有数を記憶部に格納し、前記ゴミ袋配布業者端末から入力される前記配布数で配布先の家庭の前記家庭保有数を加算し、前記ＩＣタグリーダが読み取った前記ユーザＩＤの示す家庭の前記家庭保有数を前記ゴミ集積ボックスに投入されたゴミ袋の数で減算し、前記家庭保有数が通知枚数になった家庭に未使用のゴミ袋を配布するように前記配布業者に指示する管理装置とを含むことを特徴とする。
【００１０】
請求項２に係る発明のゴミ収集システムは、各家庭に配布されるゴミ袋それぞれに付されＩＤが記録されたＩＣタグと、ゴミを入れたゴミ袋が投入口から投入されるゴミ集積ボックスと、前記ゴミ集積ボックスに投入するために前記投入口に近接する位置に差し出されたゴミ袋の前記ＩＣタグから前記ＩＤを読み取るＩＣタグリーダとを含み、前記ＩＣタグリーダに読み取られた前記ＩＣタグのＩＤが前記投入口の前に差し出されたゴミ袋が投入してもよい正しいものであることを示している場合に限り前記投入口を開けてゴミ袋を前記ゴミ集積ボックスに投入可能とすることを特徴とする。
【００１１】
請求項３に係る発明のゴミ収集システムは、各家庭に配布されるゴミ袋それぞれに付されＩＤが記録されたＩＣタグと、ゴミを入れたゴミ袋を集積するためのゴミ集積ボックスと、前記ゴミ集積ボックスに設けられ通常は閉じているゴミ投入口と、前記ゴミ投入口に投入されたゴミ袋を受け入れた後に前記ゴミ集積ボックス内に排出するゴミ受け部と、前記投入口に近接する位置に差し出されたゴミ袋の前記ＩＣタグから前記ＩＤを読み取りゴミ袋が投入してもよい正しいものであれば前記ゴミ投入口を開けさせるＩＣタグリーダと、前記ゴミ投入口から前記ゴミ受け部に投入されたゴミ袋を数える計数手段と、前記ＩＣタグリーダが読み込んだ前記ＩＤから判断されるゴミ袋の数と前記計数手段が検出した数とが同じであれば前記ゴミ投入口を閉じるとともに前記ゴミ受け部からゴミ袋を前記ゴミ集積ボックス内に排出させ同じでなければ前記ゴミ投入口を開けたまま前記ゴミ受け部からゴミ袋を外へ取り出すことを促す表示を表示部に行わせる制御部とを含むことを特徴とする。
【００１２】
請求項４に係る発明のゴミ収集システムは、各家庭に配布されるゴミ袋それぞれに付されＩＤが記録されたＩＣタグと、ゴミを入れたゴミ袋を集積するためのゴミ集積ボックスと、前記ゴミ集積ボックスに設けられ通常は閉じているゴミ投入口と、前記ゴミ袋の１つのみを収納可能で前記ゴミ投入口に投入されたゴミ袋を受け入れた後に前記ゴミ集積ボックス内に排出するゴミ受け部と、前記投入口に近接する位置に差し出されたゴミ袋の前記ＩＣタグから前記ＩＤを読み取りゴミ袋が投入してもよい正しいものであれば前記ゴミ投入口を開けさせるＩＣタグリーダと、ゴミ袋が前記ゴミ受け部に投入されてから前記投入口を閉じるとともにゴミ袋を前記ゴミ受け部から前記ゴミ集積ボックス内に排出させる制御部とを含むことを特徴とする。
【００１３】
請求項５に係る発明のゴミ収集システムは、ゴミ袋は大きさの異なる複数種類のものからなり、前記ゴミ受け部は前記ゴミ袋に対応して大きさの異なる複数種類のものからなることを特徴とする請求項３または４のいずれかに記載のゴミ収集システム。
【００１４】
請求項６に係る発明は、請求項２〜５のいずれかに係るゴミ収集システムにおいて、
前記ＩＤはゴミ袋に固有のゴミ袋ＩＤおよびゴミ袋が配布される家庭に固有のユーザＩＤを有し、
ゴミ袋の配布業者が家庭に配布したゴミ袋の数である配布数を入力するゴミ袋配布業者端末と、
家庭それぞれについて保有するゴミ袋の数である家庭保有数を記憶部に格納し、前記ゴミ袋配布業者端末から入力される前記配布数で配布先の家庭の前記家庭保有数を加算し、前記ＩＣタグリーダが読み取った前記ユーザＩＤの示す家庭の前記家庭保有数を前記ゴミ集積ボックス内に排出されたゴミ袋の数で減算し、前記家庭保有数が通知枚数になった家庭に未使用のゴミ袋を配布するように前記配布業者に指示する管理装置とを含むことを特徴とする。
【００１５】
請求項７に係る発明は、請求項６に係るゴミ収集システムにおいて、
前記ゴミ受け部が受け入れた前記ゴミ袋の重さを量る秤を含み、
前記管理装置は、前記秤が量った重さを受けて家庭それぞれについて、所定の期間における前記ゴミ受け部に投入されてから前記ゴミ集積ボックス内に排出されたゴミ袋の重さを集計し、集計したゴミ袋の重さが目標値より少ない家庭を特定することを特徴とする。
【００１６】
請求項８に係る発明は、請求項６に係るゴミ収集システムにおいて、
前記ゴミ受け部が受け入れた前記ゴミ袋の重さを量る秤を備え、
前記管理装置は、各家庭の構成人数を記憶部に格納し、前記秤が量った重さを受けて家庭それぞれについて、所定の期間における前記ゴミ受け部に投入されてから前記込み集積ボックス内に排出されたゴミ袋の重さを集計し、集計したゴミ袋の重さを前記構成人数で割った値が目標値より少ない家庭を特定することを特徴とする。
【００１７】
請求項９に係る発明は、請求項１、６〜８のいずれかに係るゴミ収集システムにおいて、
前記管理装置は、ゴミ袋の種類ごとに前記家庭保有数を記憶部に格納することを特徴とする。
【００１８】
請求項１０に係る発明は、請求項１、６〜９のいずれかに係るゴミ収集システムにおいて、
前記管理装置は、各家庭について前記ゴミ集積ボックスに投入されたゴミ袋の前記ゴミ袋ＩＤおよび日付を記録し、
少なくとも一部の家庭それぞれに対応して設けられ、前記管理装置から情報を受け、対応する家庭が前記ゴミ集積ボックスに投入したゴミ袋の種類および日付ならびに前記家庭保有数を閲覧可能なユーザ端末を含むことを特徴とする。
【００１９】
請求項１１に係る発明は、請求項７〜１０のいずれかに係るゴミ収集システムにおいて、
前記管理装置は、各家庭について当月の当日までのゴミの排出量の集計の予め定めた目標値に対する割合から翌月に提供する無料の未使用の前記ゴミ袋の枚数である来月獲得枚数の予測値を算出し、
少なくとも一部の家庭それぞれに対応して設けられ、前記管理装置から情報を受け、対応する家庭についての前記予測値を閲覧可能なユーザ端末を含むことを特徴とする。
【００２０】
請求項１２に係る発明は、請求項１、６〜１１のいずれかに係るゴミ収集システムにおいて、
前記管理装置は、前記ゴミ集積ボックスそれぞれについて、ゴミの回収時に前回のゴミ回収時から排出されたゴミ袋の個数の累計である総個数およびゴミ排出量の累計であるゴミ総排出量ならびに回収所用時間を求め、
前記管理装置から情報を受け、前記ゴミ集積ボックスからゴミを回収する業者が前記ゴミ集積ボックスそれぞれおよびゴミの回収作業それぞれについて前記ゴミ袋の総個数、ゴミ総排出量および回収所用時間を閲覧可能な回収業者端末を含むことを特徴とする。
【００２１】
請求項１３に係る発明のゴミ収集方法は、ゴミ袋に固有のゴミ袋ＩＤおよびゴミ袋が配布される家庭に固有のユーザＩＤが記録されたＩＣタグが付されたゴミ袋を各家庭に配布し、ゴミ集積ボックスに投入されるゴミを入れたゴミ袋の前記ＩＣタグから前記ゴミ袋ＩＤおよび前記ユーザＩＤをＩＣタグリーダで読み取り、ゴミ袋の配布業者が家庭に配布した前記ゴミ袋の数である配布数をゴミ袋配布業者端末から入力し、
管理装置は、家庭それぞれについて保有する前記ゴミ袋の数である家庭保有数を記憶部に格納し、前記ゴミ袋配布業者端末から入力される前記配布数で配布先の家庭の前記家庭保有数を加算し、前記ＩＣタグリーダが読み取った前記ユーザＩＤの示す家庭の前記家庭保有数を前記ゴミ集積ボックスに投入された前記ゴミ袋の数で減算し、前記家庭保有数が通知枚数になった家庭に未使用の前記ゴミ袋を配布するように前記配布業者に指示することを特徴とする。
【００２２】
請求項１４に係る発明のゴミ収集方法は、ＩＤが記録されたＩＣタグが付されたゴミ袋を各家庭に配布し、ゴミ集積ボックスに投入するために前記ゴミ集積ボックスの投入口に近接する位置に差し出されたゴミ袋の前記ＩＣタグから前記ＩＤをＩＣタグリーダで読み取り、前記ＩＣタグリーダに読み取られた前記ＩＣタグの前記ＩＤが前記投入口の前に差し出されたゴミ袋が投入してもよい正しいものであることを示している場合に限り前記投入口を開けてゴミ袋を前記ゴミ集積ボックスに投入可能とすることを特徴とする。
【００２３】
請求項１５に係る発明のゴミ収集方法は、ＩＤが記録されたＩＣタグが付されたゴミ袋を各家庭に配布し、ゴミ集積ボックスにゴミを入れたゴミ袋を投入するためのゴミ投入口を通常は閉じておき、ＩＣタグリーダが前記ゴミ投入口に近接する位置に差し出されたゴミ袋の前記ＩＣタグの前記ＩＤを読み取りゴミ袋が投入してもよい正しいものであれば前記ゴミ投入口を開けてゴミ袋を前記ゴミ投入口から前記ゴミ集積ボックスに設けたゴミ受け部に投入させ、計数手段により数えた前記ゴミ受け部に投入されたゴミ袋の数と前記ＩＣタグリーダが読み込んだ前記ＩＤから判断されるゴミ袋の数とが同じであれば前記ゴミ投入口を閉じるとともに前記ゴミ受け部からゴミ袋を前記ゴミ集積ボックス内に排出させ同じでなければ前記ゴミ投入口を開けたまま前記ゴミ受け部からゴミ袋を外へ取り出すことを促す表示を表示部に行わせることを特徴とする。
【００２４】
請求項１６に係る発明のゴミ収集方法は、ＩＤが記録されたＩＣタグが付されたゴミ袋を各家庭に配布し、ゴミ集積ボックスにゴミを入れたゴミ袋を投入するためのゴミ投入口を通常は閉じておき、ＩＣタグリーダが前記ゴミ投入口に近接する位置に差し出されたゴミ袋の前記ＩＣタグの前記ＩＤを読み取りゴミ袋が投入してもよい正しいものであれば前記ゴミ投入口を開けてゴミ袋を前記ゴミ投入口から前記ゴミ集積ボックスに設けたゴミを入れた１つのゴミ袋のみを入れることが可能なゴミ受け部に投入させ、ゴミ袋が前記ゴミ受け部に投入されてから前記投入口を閉じるとともにゴミ袋を前記ゴミ受け部から前記ゴミ集積ボックス内に排出させることを特徴とする。
【００２５】
請求項１７に係る発明は、請求項１４、１５または１６のいずれかに係るゴミ収集方法において、
前記ＩＤはゴミ袋に固有のゴミ袋ＩＤおよびゴミ袋が配布される家庭に固有のユーザＩＤを有し、
ゴミ袋の配布業者が家庭に配布したゴミ袋の数である配布数をゴミ袋配布業者端末から入力し、
管理装置は、家庭それぞれについて保有するゴミ袋の数である家庭保有数を記憶部に格納し、前記ゴミ袋配布業者端末から入力される前記配布数で配布先の家庭の前記家庭保有数を加算し、前記ＩＣタグリーダが読み取った前記ユーザＩＤの示す家庭の前記家庭保有数を前記ゴミ集積ボックスに排出されたゴミ袋の数で減算し、前記家庭保有数が通知枚数になった家庭に未使用のゴミ袋を配布するように前記配布業者に指示することを特徴とする。
【００２６】
請求項１８に係る発明は、請求項１７に記載のゴミ収集方法において、
前記ゴミ受け部が受け入れた前記ゴミ袋の重さを秤で量り、前記管理装置は、前記秤が量った重さを受けて家庭それぞれについて、所定の期間における前記ゴミ受け部に投入されてから前記ゴミ集積ボックス内に排出されたゴミ袋の重さを集計し、集計したゴミ袋の重さが目標値より少ない家庭を特定し、前記管理装置が特定した家庭には特典を付与することを特徴とする。
【００２７】
請求項１９に係る発明は、請求項１７に係るゴミ収集方法において、
前記ゴミ受け部が受け入れた前記ゴミ袋の重さを秤で量り、前記管理装置は、各家庭の構成人数を記憶部に記憶し、前記秤が量った重さを受けて家庭それぞれについて、所定の期間における前記ゴミ受け部に投入されてから前記ゴミ集積ボックス内に排出されたゴミ袋の重さを集計し、集計したゴミ袋の重さを前記構成人数で割った値が目標値より少ない家庭を特定し、前記管理装置が特定した家庭には特典を付与することを特徴とする。
【００２８】
請求項２０に係る発明は、請求項１３、１７〜１９のいずれかに記載のゴミ収集システムにおいて、
前記管理装置は、ゴミ袋の種類ごとに前記家庭保有数を記憶部に格納することを特徴とする。
【００２９】
請求項２１に係る発明は、請求項１３、１７〜２０のいずれかに記載のゴミ収集方法において、
前記管理装置は、ゴミ袋の種類ごとに所定の期間における前記ゴミ受け部に投入されてから前記ゴミ集積ボックス内に排出されたゴミ袋の数を集計し、これら集計した数を所定の種類のゴミ袋の数に換算した換算集計数を求め、全ての種類についての前記換算集計数の合計が目標値より少ない家庭を特定し、前記管理装置が特定した家庭には特典を付与することを特徴とする。
【００３０】
請求項２２に係る発明のゴミ袋は、ＩＣタグが付されたゴミ袋であって、前記ＩＣタグにゴミ袋に固有のゴミ袋ＩＤおよびゴミ袋が配布される家庭に固有のユーザＩＤが記録されていることを特徴とする。
【００３１】
請求項２３に係る発明のゴミ集積ボックスは、ゴミを入れたゴミ袋を集積するためのゴミ集積ボックスであって、
通常は閉じているゴミ投入口と、前記ゴミ投入口に投入されたゴミ袋を受け入れた後に前記ゴミ集積ボックス内に排出するゴミ受け部と、前記投入口に近接する位置に差し出されたゴミに付されたＩＣタグに記録されたＩＤを読み取りゴミ袋が投入してもよい正しいものであれば前記ゴミ投入口を開けさせるＩＣタグリーダと、前記ゴミ投入口から前記ゴミ受け部に投入されたゴミ袋を数える計数手段と、前記ＩＣタグリーダが読み込んだ前記ＩＤから判断されるゴミ袋の数と前記計数手段が検出した数とが同じでなければ前記ゴミ投入口を開けたまま前記ゴミ受け部からゴミ袋を外へ取り出すことを促す表示を行う表示部とを含み、
前記ＩＣタグリーダが読み込んだ前記ＩＤから判断されるゴミ袋の数と前記計数手段が検出した数とが同じであれば前記ゴミ投入口を閉じるとともに前記ゴミ受け部からゴミ袋を前記ゴミ集積ボックス内に排出させることを特徴とする。
【００３２】
請求項２４に係る発明のゴミ集積ボックスは、ゴミを入れたゴミ袋を集積するためのゴミ集積ボックスであって、
通常は閉じているゴミ投入口と、１つのゴミ袋のみを収納可能で前記ゴミ投入口に投入されたゴミ袋を受け入れた後に前記ゴミ集積ボックス内に排出するゴミ受け部と、前記投入口に近接する位置に差し出されたゴミに付されたＩＣタグに記録されたＩＤを読み取りゴミ袋が投入してもよい正しいものであれば前記ゴミ投入口を開けさせるＩＣタグリーダとを含み、
ゴミ袋が前記ゴミ受け部に投入されてから前記投入口を閉じるとともにゴミ袋を前記ゴミ受け部から前記ゴミ集積ボックス内に排出させることを特徴とする。
【００３３】
請求項２５に係る発明は、請求項２４または２５のいずれかに記載のゴミ集積ボックスにおいて、
ゴミ袋は大きさの異なる複数種類のものからなり、前記ゴミ受け部は前記ゴミ袋に対応して大きさの異なる複数種類のものからなることを特徴とする。
【００３４】
請求項２６に係る発明のゴミ収集用の管理装置は、ゴミ袋が配布される家庭それぞれについて保有するゴミ袋の数である家庭保有数を記憶部に格納し、ゴミ袋配布業者端末から入力されるゴミ袋配布業者が家庭に配布したゴミ袋の数である配布数で配布先の家庭の前記家庭保有数を加算し、ゴミ集積ボックスに投入されるゴミ袋に付されたＩＣタグに記録されたユーザＩＤの示す家庭の前記家庭保有数を前記ゴミ集積ボックスに投入されたゴミ袋の数で減算し、前記家庭保有数が通知枚数になった家庭にゴミ袋を配布するように前記配布業者に指示することを特徴とする。
【発明の効果】
【００３５】
本発明は、ゴミ集積ボックスの投入口に近接する位置に差し出されたゴミ袋のＩＣタグからＩＤをＩＣタグリーダで読み取る。そして、ＩＣタグのＩＤが投入口の前に差し出されたゴミ袋が投入してもよい正しいものであることを示している場合に限り、投入口を開けてゴミ袋を前記ゴミ集積ボックスに投入可能とする。これにより、ゴミ収集日に収集すべきものとして指定されている種類以外のゴミが誤ってゴミ集積ボックスに投入されるのを防ぐことができる。また、指定されたＩＣタグ付きのゴミ袋以外の不適当なゴミ袋を使用してゴミが排出されることも防ぐことができる。特に、ゴミの排出を有料制として指定の有料のゴミ袋の使用を義務づけた場合に、指定以外のゴミ袋を使用して料金の負担なしでゴミを排出する不当な行為を防ぐことができる効果がある。
【００３６】
また本発明は、投入口から投入されたゴミ袋をゴミ受け部で受けて、投入されたゴミ袋が指定のＩＣタグを付したもののみであることを検知してからゴミ集積ボックスへ排出する。これにより、ＩＣタグが付されていない不正なゴミ袋が混ぜられてゴミ集積ボックスへ排出されるのを防ぐことができる効果がある。
【００３７】
本発明は、家庭それぞれについて保有するゴミ袋の数である家庭保有数を記憶部に格納し、ゴミ袋の配布業者が家庭に配布したゴミ袋の数である配布数で家庭保有数を加算し、ゴミ集積ボックスに投入されたゴミ袋の数で家庭保有数を減算する。そして、家庭保有数が通知枚数になった家庭に業者がゴミ袋を配布する。これにより、各家庭に未使用のゴミ袋がなくなってしまうということを防ぎ、指定のゴミ袋がないためにゴミを排出できないということを防ぐことができるという効果がある。また、各家庭にとっては、ゴミ袋をスーパーマーケットやコンビニエンスストアにわざわざ買いに行く手間を省くことができるという効果もある。
【発明を実施するための最良の形態】
【００３８】
図１は、本発明の実施の形態のゴミ収集システムを示すブロック図である。
【００３９】
本実施の形態は、ユーザ端末１０と、集中管理センタ２０と、回収業者端末３０と、ゴミ集積ボックス４０と、ゴミ袋販売業者端末５０と、これらを接続するインターネット１００とからなる。
【００４０】
本実施の形態のゴミ収集システムは、集合住宅におけるゴミ収集を対象としており、ユーザ端末１０は、集合住宅に住んでいる家庭に設けられた端末である。ゴミ集積ボックス４０は、その集合住宅または、その近辺に設けられている。
【００４１】
本実施の形態で用いるゴミ袋１２０は、図６に示すようにＩＣタグ７０が付されている。ＩＣタグ７０は、図５に示すとおりアンテナ７１、送受信部７２およびメモリ７３を持っているが、電源を持っていない。ＩＣタグ７０がＩＣタグリーダ６０の電波を受信すると、磁界ができ、磁界内にあるＩＣタグ７０のアンテナ７１の両端に電位差が生じて、送受信部７２およびメモリ７３へ供給する電流を発生させる仕組みである。
【００４２】
メモリ７３には、図７に示す通り、ユーザＩＤ７４およびゴミ袋ＩＤ７５が記録されている。
【００４３】
ゴミ集積ボックス４０は、図３に示すとおり、前面に複数のゴミ投入部８０が設けられている。各ゴミ投入部８０の上側にＩＣタグリーダ６０と、赤外線センサー９０と、スピーカ内蔵液晶パネル１１０が設けられている。ＩＣタグリーダ６０は、図５に示すとおりの構造をしており、アンテナ６１、送受信部６２および制御部６３を有し、ＩＣタグ７０とはアンテナ６１を通して情報交換をする。ＩＣタグリーダ６０により読み取られるＩＣタグ７０の情報は、集中管理センタ２０へ送信される。
【００４４】
集中管理センタ２０内に設置されているデータベースサーバ２００は、図２に示す通り、データベース管理システム２０１、ゴミ袋管理データベース２０２、住人情報データベース２０３、ゴミ情報データベース２０４から構成されている。また、データベースサーバ２００には、予め定められたゴミ排出日に関する情報（各日付がゴミ集積ボックス４０へ可燃ゴミを排出してもよい日か、不燃ゴミを排出してもよい日かに関する情報）および回収業者がゴミ集積ボックス４０からゴミを回収する日付が記憶されている。さらに、データベースサーバ２００には、ゴミ集積ボックス４０が設けられている集合住宅を識別する住宅名、ゴミ集積ボックス４０を識別するボックスＩＤおよび各ゴミ集積ボックス４０がどの集合住宅に属しているかが記憶されている。
【００４５】
データベース管理システム２０１は、ゴミ袋管理データベース２０２、住人情報データベース２０３、ゴミ情報データベース２０４のデータの定義、追加、修正、削除、検索などを行う。データベース管理システム２０１はゴミ袋管理データベース２０２、住人情報データベース２０３から、ユーザが欲しい情報をユーザ端末１０に配信する。また、データベース管理システム２０１はゴミ袋管理データベース２０２の情報を毎日チェックする。
【００４６】
ゴミ袋管理データベース２０２は、図１２に示すとおり、ユーザである家庭（住人の所帯）ごとに、ユーザＩＤ７４および排出したゴミ袋１２０のゴミ袋ＩＤ７５を登録している。また、ゴミ袋管理データベース２０２は、ゴミ袋ＩＤ７５ごとに、そのゴミ袋１２０を排出した日付、そのゴミ袋１２０を排出した時の当該家庭における可燃ゴミ用のゴミ袋在庫および不燃ゴミ用のゴミ袋在庫を登録している。さらに、ゴミ袋管理データベース２０２は、ゴミ袋１２０の在庫が残り何枚になったら、データベース管理システム２０１がゴミ袋販売業者端末５０に通知するかの予め設定しておいた通知枚数も格納している。この通知枚数は、ユーザが予めユーザ端末１０を用いて設定し、集中管理センタ２０へ送信し、データベースサーバ２００に記憶させておく。
【００４７】
住人情報データベース２０３は、図１３に示すデータを格納したデータベースである。すなわち、家庭ごとにユーザＩＤ、居住人数、今月（現在までの）のゴミの総排出量、総排出量を居住人数で割った一人当たりの排出量および集合住宅設定値を格納している。ここに、集合住宅設定値とは、集合住宅で目標値として設定されている排出量の設定値である。集合住宅設定値は、集合住宅の住民の組合や住民が委託した企業などの集合住宅のゴミ収集を管理する機関が予め設定し、データベースサーバ２００に記憶させておく。
【００４８】
ゴミ情報データベース２０４は、図１４に示すとおり、回収業者がゴミ集積ボックス４０からゴミを回収した日付、集合住宅の住宅名（図１４ではＡハイツのみ）および集合住宅ごとに設置されたゴミ集積ボックス４０に付されたボックスＩＤを登録している。そしてゴミ情報データベース２０４は、ゴミ回収日それぞれにおけるゴミ集積ボックス４０ごとの、排出されていたゴミ袋１２０の個数、ゴミの総排出量および回収所用時間を格納したデータベースである。ここに開始有所用時間とは、ゴミ回収業者がゴミ集積ボックス４０からゴミを回収するのに要した時間である。
【００４９】
ゴミ投入部８０は、図３および図４に示すように、ゴミ集積ボックス４０の前面に設けられた四角い開口と、この開口の下辺８２に軸支されたゴミ受け部８１からなる。ゴミ受け部８１は、外側に膨らむ横向きの円筒の曲面の一部からなる前面板と、平面からなり下辺８２で前面板と交わる背面板と、ほぼ扇形の両側面板とからなり、上側が開放されたゴミ投入口８３をなす容器をなしている。
【００５０】
ゴミ受け部８１の前面板および背面板の外形は、ゴミ集積ボックス４０の前面に設けられた開口と同一形状である。ゴミ集積ボックス４０にゴミ袋１２０を投入しようとするときは、図４（ａ）に示すように、ゴミ受け部８１を下辺８２を中心としてゴミ集積ボックス４０の外側へ倒し、ゴミ投入口８３がゴミ集積ボックス４０の外側に向けて開けられた状態にする。このときは、ゴミ集積ボックス４０の前面に設けられた開口は、ゴミ受け部８１の背面板で塞がれている。
【００５１】
ただし、通常においてゴミ受け部８１は、下辺８２を中心として図４（ｂ）に示すように、ゴミ集積ボックス４０の内側に倒れ込み、前面板をゴミ集積ボックス４０の前面の開口に位置させてその開口を塞いでいる。したがって、通常においてゴミ投入口８３は、ゴミ集積ボックス４０の外側に対し閉じられている。
【００５２】
ゴミ受け部８１の底部には、電子秤１３０が設けられていて、ゴミ受け部８１に投入されたゴミ袋１２０の重量を量るようになっている。また、ゴミ受け部８１の背面の電子秤１３０より上側の部分は、上辺８４を中心軸として揺動して開閉する扉８５となっている。ゴミ受け部８１の下辺８２を軸とする揺動および扉８５の上辺８４を中心とする開閉は、図示していないモータにより駆動される。
【００５３】
図４（ａ）に示すとおり、ゴミ投入口８３からゴミ受け部８１に投入したゴミ袋１２０の個数は、赤外線センサー９０により検知される。
【００５４】
ゴミ集積ボックス４０は、事前にデータベースサーバ２００より指定されたゴミ排出日に関する情報を入手し、図示していない記憶部に記憶し、自らのボックスＩＤも記憶部に記憶しておく。また、ゴミ回収ボックス４０は、記憶部に記憶したプログラムに従い、図示していない制御部により動作する。すなわち、ＩＣタグリーダ６０、赤外線センサー９０などからの信号を受け、スピーカ内蔵液晶パネル１１０、ゴミ受け部８１の揺動、扉８５の開閉を駆動するモータなどを制御する。また、ＩＣタグリーダ６０、電子秤１３０から受けるデータをインターネット１００を介して集中管理センタ２０へ送出する。
【００５５】
また、図には示していないが、ゴミ集積ボックス４０には、内部に排出されたゴミを回収するための、通常は閉じられている回収口が設けられている。また、回収業者がゴミの回収のために回収口を開けたことおよび回収が終了して閉じたことを検知するセンサーが設けられている。
【００５６】
次に、図１から図１６を用いて本実施の形態の動作を詳細に説明する。
【００５７】
図８は、ゴミを入れた指定のゴミ袋１２０をゴミ集積ボックス４０に投入する場合の動作を説明する流れ図である。
【００５８】
ゴミを捨てるユーザは、ゴミ投入部８０からゴミ集積ボックス４０の中に、ゴミを入れたゴミ袋１２０を投入する前に、ゴミ袋１２０をゴミ投入部８０の上側に差し出す。これにより、ＩＣタグリーダ６０にＩＣタグ７０のユーザＩＤ７４およびゴミ袋ＩＤ７５の情報を読み取らせる（ステップＡ１）。この読み取り時には、図５に示すとおり、ＩＣタグ７０のアンテナ７１とＩＣタグリーダ６０のアンテナ６１とを互いの無線が届く範囲内にあるようにして情報の伝送を行う。
【００５９】
ＩＣタグリーダ６０がＩＣタグ７０のＩＤ７３を読み取れば、次に進む。ゴミ集積ボックス４０の制御部は、事前にデータベースサーバ２００より入手した排出日情報とＩＣタグ７０より検知したゴミ袋ＩＤ７５の情報をもとに、差し出されたゴミ袋１２０のゴミの種類と、その日が排出日とされるゴミの種類が適正かチェックする（ステップＡ２）。本実施例の場合は、可燃ゴミ用のゴミ袋１２０のゴミ袋ＩＤ７５はＦ（ｆｌａｍｍａｂｌｅ）で始まるもので表わし、不燃ゴミ用のゴミ袋１２０のゴミ袋ＩＤ７５はＮ（ｎｏｎｆｌａｍｍａｂｌｅ）で始まるもので表わすものと規定されている。
【００６０】
ゴミ袋１２０が不適当なものとしてチェックに引っかかった場合には、ゴミ集積ボックス４０の制御部は、そのゴミ袋１２０のゴミの種類の排出日でないことを知らせるガイダンスをスピーカ内蔵液晶パネル１１０より音声で流すとともに文字表示する（ステップＡ４）。ゴミ袋ＩＤ７５の示すゴミの種類と排出日による指定のゴミの種類が適正だった場合は、ゴミ受け部８１を外側へ倒し、ゴミ集積ボックス４０の外側に対しゴミ投入口８３を開ける（ステップＡ５）。
【００６１】
続いてゴミを捨てるユーザは、ゴミ投入口８３からゴミ受け部８１にゴミを入れる（ステップＡ６）。この時に、赤外線センサー９０は、ゴミ投入口８３からゴミ受け部８１に投入されるゴミ袋１２０の数を検知する。また、ＩＣタグリーダ６０で検知したＩＣタグ７０のゴミ袋ＩＤ７５からゴミ受け部８１へ投入されたゴミ袋１２０の個数を検知する。赤外線センサー９０が検知した投入したゴミ袋１２０の数と、ＩＣタグリーダ６０が検知したゴミ袋１２０の数とが同じか否かのチェックを行う。指定ゴミ袋でなく、ＩＣタグリーダ６０にＩＣタグ７０の情報を読み取らせてないゴミ袋が投入された場合は、赤外線センサー９０が検知したゴミ袋の方が、ＩＣタグリーダ６０が検知したゴミ袋１２０よりも多くなる。したがって、このように検知したゴミ袋の数が一致しない場合は、指定のゴミ袋１２０以外のゴミ袋を取り除くよう、ガイダンスがスピーカ内蔵液晶パネル１１０より流れ、表示される（ステップＡ８）。
【００６２】
赤外線センサー９０で検知したゴミ袋の個数とリーダライタ６０で検知した個数が同じとなった場合（ステップＡ７）の動作は、次の通りである。ゴミ集積ボックス４０の制御部は、ゴミ回収口８０に内蔵されている電子秤１３０を使用してゴミ受け部８１に投入されたゴミ袋１２０の重さであるゴミ排出量を測定する（ステップＡ９）。続いて、図４（ｂ）に示すとおりに、ゴミ受け部８１をゴミ集積ボックス４０の内側へ倒し、ゴミ集積ボックス４０の外側に対しゴミ投入口８３を閉じ（Ａ１０）、図４（ｃ）に示すとおり扉８５を開放し、ゴミ袋１２０をゴミ集積ボックス４０の内部に排出する。
【００６３】
図９は、ゴミを入れた指定のゴミ袋１２０を、ゴミ集積ボックス４０に排出した時のデータの流れを説明する流れ図である。
【００６４】
図８のステップＡ１のようにＩＣタグ７０をＩＣタグリーダ６０に読み取らせる（ステップＢ１）。ＩＣタグ７０のメモリ７３から図１０に示す情報３０１をリーダライタ６０が読み取る（ステップＢ２）。情報３０１は、ユーザＩＤ７４およびゴミ袋ＩＤ７５からなる。
【００６５】
図８のステップＡ１０でゴミ袋１２０をゴミ集積ボックス４０の内部に排出するために扉８５を開放したら、ゴミ集積ボックス４０の制御部は、図１０に示す情報３０２（ステップＢ３）をデータベースサーバ２００のデータベース管理システム２０１に転送する（ステップＢ４）。ここに、情報３０２とは、当日の日付７６、ボックスＩＤ７７（集合住宅内にあるゴミ回収ボックス４０にはボックスＩＤが割り当てられている）、電子秤１３０で量ったゴミ排出量７８およびゴミ集積ボックス４０の内部に排出したゴミ袋１２０の個数７９を情報３０１へ加えた情報である。
【００６６】
データベース管理システム２０１は、情報３０２の中からユーザＩＤ７４、ゴミ袋ＩＤ７５および日付７６の情報をゴミ袋管理データベース２０２へ転送する。また、ユーザＩＤ７４およびゴミ排出量７８を住人情報データベース２０３へ転送する。
【００６７】
また、データベース管理システム２０１は、データベースサーバ２００に記憶していたゴミを回収する日付、住宅名、住宅名に関連させてその住宅に付属するゴミ集積ボックス４０のボックスＩＤを転送する。また、ゴミ回収業者がゴミ集積ボックス４０の回収口を開けた時は、開けたことを検知したセンサーの信号をゴミ集積ボックス４０から受ける。そして、前回のゴミの回収時からのゴミ排出量７８の累計であるゴミ総排出量、前回のゴミ回収時からの個数７９の累計である総個数を算出してゴミ情報データベース２０４へ転送する。さらに、ゴミ集積ボックス４０に設けたセンサーが出力する回収口を開けた時および閉めた時の信号をゴミ集積ボックス４０から受けて、回収口を開けてから閉めた時までの時間である回収所用時間を計測し、ゴミ情報データベース２０４へ転送する（ステップＢ５）。
【００６８】
なお、回収所用時間のゴミ情報データベース２０４への登録方法は、上述の方法に限られない。例えば、作業者に携帯端末を持たせ、ゴミ回収の作業の開始時および終了時に、作業者が携帯端末を用いて作業開始または終了をデータベースサーバ２００に通知するとともに、携帯端末がゴミ集積ボックス４０のＩＤを読み取ってデータベースサーバ２００に通知するようにすることもできる。
【００６９】
ゴミ袋管理データベース２０２は、ユーザＩＤ７４別にゴミ袋ＩＤ７５および日付７６の情報を記憶する（ステップＢ６）。住人情報データベース２０３は、ユーザＩＤ７４別にゴミ排出量７８を記憶する（ステップＢ７）。ゴミ情報データベース２０４は、ゴミ回収の日付ごとに住宅名を記憶し、住宅名ごとにその住宅に設けられたゴミ集積ボックス４０のボックスＩＤを記憶し、ボックスＩＤごとにされたゴミ袋１２０の累積個数、総排出量および回収所用時間の情報を記憶する（ステップＢ８）。
【００７０】
このゴミ情報データベース２０４の内容は、ゴミ集積ボックス４０からゴミを回収する回収業者が、回収業者端末３０から閲覧することができる。この閲覧によりゴミ回収業者は、ゴミ袋１２０の個数および総排出量と回収所用時間との関係を知ることができ、ゴミ回収作業に必要な時間の予測精度を高めることができる。
【００７１】
図１１は、各家庭において指定のゴミ袋１２０が少なくなったことを受けてゴミ袋販売業者からゴミ袋１２０が補充される手順を説明する流れ図である。
【００７２】
ここでゴミ袋１２０の補充というのは、各家庭におけるゴミ袋１２０の残り枚数が、ユーザがあらかじめ設定しておいた通知枚数に達した時に、ゴミ袋販売業者より設定済みの枚数１２０のゴミ袋がユーザである家庭の元に配送されることである。
【００７３】
データベース管理システム２０１は、1日に１回、ゴミ袋管理データベース２０２の中でゴミ袋１２０の残り枚数であるゴミ袋在庫が通知枚数に達しているものがあるかチェックを行う（ステップＣ１）。通知枚数に達しているユーザがいた場合（ステップＣ２）、データベース管理システム２０１は、ゴミ袋販売業者端末５０へその旨の通知を行う（ステップＣ３）。通知を受けたゴミ袋販売業者は、ゴミ袋販売業者端末５０からそのユーザに販売するゴミ袋１２０の枚数のデータをデータベース管理システム２０１へ転送する（ステップＣ４）。データベース管理システム２０１は、販売データ(販売枚数)をゴミ袋管理データベース２０２へ転送し（ステップＣ５）、ゴミ袋１２０の枚数の更新作業を行う（ステップＣ６）。ゴミ袋販売業者は、販売データ（販売枚数）に基づいて、そのユーザである家庭にゴミ袋１２０の配送を行う（ステップＣ７）。この補充用の販売枚数も各家庭について、ユーザ端末１０により予め設定し、集中管理センタ２０のデータベースサーバ２００および回収業者端末３０に通知し、記憶させておく。
【００７４】
図１２にユーザＩＤがＡ−０００２の家庭について示される例では、通知枚数が３枚と設定され、２００３年１２月３日に不燃のゴミ用のゴミ袋１２０の在庫が３枚となり、通知枚数に達している。そこで、データベース管理システム２０１は、当家庭の不燃のゴミ用のゴミ袋１２０を補充すべきことをゴミ袋販売業者端末５０に通知する。この通知を受けてゴミ袋販売業者は、当家庭に不燃のゴミ用のゴミ袋１２０を１０枚補充することをデータベース管理システム２０１に通知し、データベース管理システム２０１は、ゴミ袋管理データベース２０２の不燃のゴミ用のゴミ袋１２０の枚数を１０枚増加させて１３枚に更新する。
【００７５】
データベース管理システム２０１は、ユーザ端末１０からの履歴情報の要求に応じて、ゴミ袋管理データベース２０２から次のデータを読み出し、そのユーザ端末１０に送信する。すなわち、そのユーザ端末１０から入力したユーザＩＤ７４についての排出したゴミ袋１２０のゴミ袋ＩＤ７５、個数、日付およびゴミ袋１２０の在庫を送信する。ユーザ端末１０は、これらのデータを受けて図１５に示すゴミ排出履歴情報の画面１１を表示する。ゴミ排出履歴情報の画面１１は、日付ごとの該当家庭の排出したゴミの種類、排出したゴミ袋１２０の個数、可燃ゴミ用のゴミ袋１２０の残り枚数（在庫）および不燃ゴミ用のゴミ袋１２０の残り枚数（在庫）からなる。
【００７６】
住民のゴミ減量の意識を強めるために、住民１人当たりの月ごとのゴミ排出量の目標値（集合住宅設定値）を設定する。さらに、目標値よりその月のゴミ排出量の実績が少ないパーセントに対応して、翌月に無料で該当住民の属する家庭に支給するゴミ袋１２０の枚数（来月獲得枚数）を設定する。そして、この集合住宅設定値および来月獲得枚数をデータベースサーバ２００に記憶しておく。来月獲得枚数は、集合住宅のゴミ収集を管理する機関が設定し、データベースサーバ２００に入力する。
【００７７】
データベース管理システム２０１は、住人情報データベース２０３の１人当たりのゴミ排出量と、当月の目標値を日割りで計算した当月の当日までの目標値とを比較して来月獲得枚数の予測値を算出する。月初めに前月のゴミ排出量の実績にもとずき、前月分の来月獲得枚数を算出して確定し、ゴミ袋販売業者端末５０に通知し、ゴミ袋販売業者は、その通知にもとずき、該当する家庭に来月獲得枚数分の未使用のゴミ袋１２０を無料で配布する。
【００７８】
このようにゴミの排出量が目標値より少ない家庭に無料のゴミ袋１２０を提供することにより、住民のゴミを低減する意欲を向上させることができる。
【００７９】
なお、本実施の形態では、各家庭の居住者の一人当たりのゴミ排出量の目標値を設定したが、各家庭のゴミ排出量の目標値を設定し、その目標値に対する各家庭の実際のゴミ排出量の割合から来月獲得枚数を決定するようにすることもできる。ただし、この場合も各家庭の居住者の人数、年齢などの事情を勘案して目標値を定めることが望ましい。
【００８０】
データベース管理システム２０１は、ユーザ端末１０からのユーザ情報の要求に応じて、住人情報データベース２０３から次のデータを読み出す。すなわち、そのユーザ端末１０から入力したユーザＩＤについての居住人数、当月の当日までのゴミの排出量、居住者１人当たりの当月の当日までのゴミの排出量および当家庭の集合住宅の当月の集合住宅設定値を読み出す。そして、これらと共にゴミの種類ごとの指定排出日（曜日）および来月獲得枚数の予測値を、そのユーザ端末１０に送信する。ユーザ端末１０は、これらのデータを受けて図１６に示すユーザ情報の画面１２を表示する。
【００８１】
ユーザは、ユーザ端末１０で図１５に示すとおり、ゴミ排出履歴情報の画面１１として自分が排出したゴミの情報およびゴミ袋１２０の残り枚数を閲覧することが可能である。さらに図１６に示すとおり、ユーザ情報として、居住人数、ゴミの排出量（今月）、一人当たりの排出量、可燃ゴミ、不燃ゴミ回収日、来月にもらえる袋の枚数である来月獲得枚数の予測値が閲覧できる。
【００８２】
このようにユーザ端末１０で閲覧可能とすることにより、各家庭にゴミの排出状況を認識させることができ、住民のゴミを低減する意欲を強化することができる。
【００８３】
なお、ゴミ投入部の構造は、図３および４に示されるものに限られない。例えば、ゴミ受け部が四角い箱状で、その上面が水平に移動するシャッターを有するゴミ投入口をなし、底面がゴミ受け部内のゴミ袋１２０をゴミ集積ボックスに排出することができる水平に移動する別のシャッターからなるようなものでもよい。
【００８４】
ゴミ投入部が設けられるゴミ集積ボックスは、箱状のものに限られず、例えば２階建て以上の階層をなす建物に設けられたゴミ捨て用のダクトをゴミ集積ボックスとし、この側面にゴミ投入部を設けるようにしてもよい。
【００８５】
また、ゴミ受け部８１が１つのゴミを満杯にしたゴミ袋１２０のみを収納可能にすることもできる。こうすれば、ＩＣタグ７０を付した正規のゴミ袋１２０以外に不正なものを混ぜてゴミ受け部８１に投入することができないために、ＩＣタグリーダ６０による投入ゴミ袋１２０の計数以外に、投入ゴミ袋を計数するための赤外線センサー９０は、必要がない。
【００８６】
ゴミ袋１２０の種類としては、不燃ゴミ用および可燃ゴミ用に限られない。例えば、プラスチックゴミ用、資源ゴミ用、生ゴミ用なども含めることもできる。また、大きさによるゴミ袋の種別をゴミ袋ＩＤに表すようにしてもよい。
【００８７】
複数種類の大きさのゴミ袋を使用可能なものとして指定した場合には、ゴミ投入部８０も対応して複数種類の大きさのものを設け、各ゴミ投入部８０に設けられたＩＣタグリーダ６０が対応する大きさのゴミ袋を示すゴミ袋ＩＤ７５を読み取らない限りゴミ投入口８３を開けないようにしてもよい。
【００８８】
また、複数種類のゴミに対応して複数のゴミ集積ボックスを備え、毎日全ての種類のゴミを排出できるような場合にも本発明は、適用できるのは言うまでもない。
【００８９】
本実施の形態では、各家庭のゴミ排出量を求め、月当たりのゴミ排出量が目標値を下回った場合に無料のゴミ袋１２０を提供するという特典を与えているが、各家庭の排出したゴミ袋１２０の個数が目標値を下回った場合に特典を与えるようにしてもよい。ただし、指定のゴミ袋として種々の大きさのゴミ袋が用いられている場合は、基準とする大きさのゴミ袋の大きさに換算して排出したゴミ袋の個数を求めることが望ましい。また、月当たりのゴミ排出量等の代わりに、年間のゴミ排出量等にしてもよい。特典も無料のゴミ袋の提供に限られず、他の景品の提供等であってもよい。
【００９０】
請求項１、２、１２または１３に係る発明の場合は、ゴミ集積ボックス４０に投入されるゴミ袋１２０に付されたＩＣタグ７０をＩＣタグリーダ６０で読み取りさえすればよく、必ずしもゴミ受け部を必要としない。
【００９１】
上述の実施の形態では、ＩＣタグ７０のメモリ７３にユーザＩＤ７４およびゴミ袋ＩＤ７５を記録したが、ゴミ収集日として指定された種類のゴミ以外のためのゴミ袋等の不適切なゴミ袋がゴミ集積ボックス４０に投入されるのを防ぐためには、ユーザＩＤ７４は必ずしも必要ではない。
【００９２】
本実施の形態では、ゴミ集積ボックス４０と集中管理センタ２０とをインターネット１００を介して接続している。しかし、ゴミ集積ボックス４０が１つのみであるような場合には、ゴミ集積ボックス４０内に設けた管理装置が集中管理センタ２０の働きをするようにすることもできる。また、インターネット１００の代わりに専用の通信回線等を用いることもできる。
【００９３】
本実施の形態は、集合住宅におけるゴミの収集を対象としているが、地方公共団体が管理するような大規模なゴミの収集にも本発明は、適用できる。
【００９４】
本実施の形態では、ＩＣタグリーダ６０はゴミ投入口８３の前に差し出されたゴミ袋１２０のＩＣタグ７０を読み取っている。しかし、投入されたゴミ受け部８１内にあるゴミ袋１２０のＩＣタグ７０も読み取れれば、ゴミ受け部８１に投入されたゴミ袋１２０の個数を正確に検出でき、正しいゴミ袋１２０以外のものをより厳格に排除できる。ゴミ投入部８０の上側に設けたＩＣタグリーダ６０のみではゴミ受け部８１に投入されたゴミ袋１２０のＩＣタグ７０を読み取ることができなければ、ゴミ受け部８１に別のＩＣタグリーダを設ければよい。ゴミ受け部８１の数カ所にＩＣタグリーダを設けることにより、より確実にゴミ受け部８１内のゴミ袋１２０のＩＣタグ７０を読み取ることができる。
【産業上の利用可能性】
【００９５】
集合住宅棟における住民が排出する生活ゴミの集積および回収の管理に適用できる。
【図面の簡単な説明】
【００９６】
【図１】本発明の実施の形態のゴミ収集システムの全体の構成を示すブロック図である。
【図２】図１中の集中管理センタ２０内に設置されているデータベースサーバ２００の構成を示すブロック図である。
【図３】図１中のゴミ集積ボックス４０の斜視図である。
【図４】図３に示すゴミ集積ボックス４０のゴミ排出時の動作を説明する断面図で、（ａ）は、ゴミ受け部８１をゴミ回収ボックス４０の外側に倒しゴミ袋１２０をゴミ受け部８１に投入した状態の図、（ｂ）は、ゴミ袋１２０が投入されたゴミ受け部８１をゴミ回収ボックス４０の内側に倒した状態の図、（ｃ）はゴミ受け部８１をゴミ回収ボックス４０の内側に倒し扉８５を開いてゴミ袋１２０をゴミ回収ボックス４０の内部に排出した状態の図である。
【図５】図５は、図４中のゴミ袋１２０に付されたＩＣタグ７０および図３中のＩＣタグリーダ６０の構成を示すブロック図である。
【図６】図４中のゴミ袋１２０の使用面図である。
【図７】図５中のメモリ７３の構成を示すブロック図である。
【図８】図３に示すゴミ収集ボックス４０のゴミ袋１２０が投入された時の動作を示すフローチャートである。
【図９】図３に示すゴミ収集ボックス４０にゴミを排出した時の情報の流れを示すフローチャートである。
【図１０】図９中の情報３０１および３０２の構成を示すブロック図である。
【図１１】図１に示すゴミ収集システムでのゴミ袋の自動送付に至るまでの手順を示すフローチャートである。
【図１２】図２中のゴミ袋管理データベース２０２のデータ例を示す図である。
【図１３】図２中の住民情報データベース２０３のデータ例を示す図である。
【図１４】図２中のゴミ情報データベース２０４のデータ例を示す図である。
【図１５】図１中のユーザ端末１０に表示されるゴミ排出履歴情報の画面を示す図である。
【図１６】図１中のユーザ端末１０に表示されるユーザ情報の画面を示す図である。
【符号の説明】
【００９７】
１０    ユーザ端末
１１    ゴミ排出履歴情報の画面
１２    ユーザ情報の画面
２０    集中管理センタ
３０    回収業者端末
４０    ゴミ集積ボックス
５０    ゴミ袋販売業者端末
６０    ＩＣタグリーダ
６１    アンテナ
６２    送受信部
６３    制御部
７０    ＩＣタグ
７１    アンテナ
７２    送受信部
７３    メモリ
７４    ユーザＩＤ
７５    ゴミ袋ＩＤ
７６    日付
７７    ボックスＩＤ
７８    ゴミ排出量
７９    個数
８０    ゴミ投入部
８１    ゴミ受け部
８２    下辺
８３    ゴミ投入口
８４    上辺
８５    扉
９０    赤外線センサー
１００    インターネット
１１０    スピーカ内蔵液晶パネル
１２０    ゴミ袋
１３０    電子秤
２００    データベースサーバ
２０１    データベース管理システム
２０２    ゴミ袋管理データベース
２０３    住人情報データベース
２０４    ゴミ情報データベース
３０１    情報
３０２    情報
【図１】
2006056704.tif 000003
【図２】
2006056704.tif 000004
【図３】
2006056704.tif 000005
【図４】
2006056704.tif 000006
【図５】
2006056704.tif 000007
【図６】
2006056704.tif 000008
【図７】
2006056704.tif 000009
【図８】
2006056704.tif 000010
【図９】
2006056704.tif 000011
【図１０】
2006056704.tif 000012
【図１１】
2006056704.tif 000013
【図１２】
2006056704.tif 000014
【図１３】
2006056704.tif 000015
【図１４】
2006056704.tif 000016
【図１５】
2006056704.tif 000017
【図１６】
2006056704.tif 000018